(57)【特許請求の範囲】
【請求項１】
複数のデータ電極と、上記データ電極に交差するように配置された走査電極と、上記データ電極と上記走査電極との各交差部に形成され上記データ電極及び上記走査電極に接続された発光素子とを有する表示手段と、
上記走査電極を線順次駆動する手段であって、第１の電位を選択された上記走査電極に供給するとともに、上記第１の電位とは異なる、選択されていない上記走査電極に印加する第２の電位よりも低く、かつ上記第１の電位よりも高い第３の電位を次に選択される上記走査電極に供給する走査電極駆動手段と、
上記データ電極に、上記第１の電位との電位差が上記発光閾値電圧よりも大きく、かつ上記第２の電位との電位差が正かつ上記発光閾値電位より小さく、かつ上記第３電位との電位差が上記発光閾値電圧未満である第４の電位を有するデータ電極駆動信号を供給するデータ電極駆動手段とを備え、
階調を少なくとも上記データ電極駆動信号のパルス幅により制御するとともに、
上記データ電極駆動手段は、上記次に選択される上記走査電極が選択されるまで上記データ電極駆動信号を上記データ電極に供給し、かつ上記データ電極駆動信号を上記データ電極に供給するまでは上記発光素子の発光閾値電圧より基準電位に対する電位差が小さい第５の電位を上記データ電極に供給することを特徴とする表示装置。
【請求項２】
上記発光素子は、有機エレクトロルミネッセンス素子であることを特徴とする請求項１記載の表示装置。
【請求項３】
複数のデータ電極と、上記データ電極に交差するように配置された走査電極と、上記データ電極と上記走査電極との各交差部に形成され上記データ電極及び上記走査電極に接続された発光素子とを有する表示手段と、
上記走査電極を線順次駆動する手段であって、第１の電位を選択された上記走査電極に供給するとともに、上記第１の電位とは異なる、選択されていない上記走査電極に印加する第２の電位よりも低く、かつ上記第１の電位よりも高い第３の電位を次に選択される上記走査電極に供給する走査電極駆動手段と、
上記データ電極に、上記第１の電位との電位差が上記発光閾値電圧よりも大きく、かつ上記第２の電位との電位差が正かつ上記発光閾値電位より小さく、かつ上記第３電位との電位差が上記発光閾値電圧未満である第４の電位を有するデータ電極駆動信号を供給するデータ電極駆動手段とを備え、
階調を少なくとも上記データ電極駆動信号のパルス幅により制御するとともに、
上記データ電極駆動手段は、上記走査電極に上記第１の電位が供給される期間と上記データ電極駆動信号の終期を一致させて上記データ電極駆動信号を上記データ電極に供給し、かつ上記データ電極駆動信号を上記データ電極に供給するまでは上記発光素子の発光閾値電圧より基準電位に対する電位差が小さい第５の電位を上記データ電極に供給することを特徴とする表示装置。
【請求項４】
複数のデータ電極と、上記データ電極に交差するように配置された走査電極と、上記データ電極と上記走査電極との各交差部に形成され上記データ電極及び上記走査電極に接続された発光素子とを有する表示手段を備え、少なくとも上記データ電極に供給するデータ電極駆動信号のパルス幅により階調を制御する表示装置の駆動方法であって、
第１の電位を選択された上記走査電極に供給して上記走査電極を線順次駆動するとともに、上記第１の電位とは異なる選択されていない上記走査電極に印加する第２の電位よりも低く、かつ上記第１の電位よりも高い第３の電位を次に選択される上記走査電極に供給し、
上記データ電極に、上記第１の電位との電位差が上記発光閾値電圧よりも大きく、かつ上記第２の電位との電位差が正かつ上記発光閾値電位より小さく、かつ上記第３電位との電位差が上記発光閾値電圧未満である第４の電位を有する上記データ電極駆動信号を供給し、
上記次に選択される上記走査電極が選択されるまで上記データ電極駆動信号を上記データ電極に供給し、かつ上記データ電極駆動信号を上記データ電極に供給するまでは上記発光素子の発光閾値電圧より基準電位に対する電位差が小さい第５の電位を上記データ電極に供給することを特徴とすることを特徴とする表示装置の駆動方法。
【発明の詳細な説明】
【技術分野】
【０００１】
本発明は、表示装置及びその駆動方法に関し、特に、発光素子として有機エレクトロルミネッセンス（Electroluminescence：以下、「ＥＬ」とも称す。）素子を用いた有機ＥＬ表示装置に用いて好適なものである。
【背景技術】
【０００２】
有機ＥＬ表示装置は、発光素子として有機薄膜のＥＬ現象を利用した有機ＥＬ素子を用いた表示装置であり、自己発光型の表示装置として注目されている。有機ＥＬ表示装置は、互いに平行な複数のデータ電極と、データ電極に直交する方向に設けられた複数の走査電極と、データ電極と走査電極の交差部に形成され両電極に接続された複数の有機ＥＬ素子とから構成される有機ＥＬディスプレイを有する。すなわち、有機ＥＬ表示装置の有機ＥＬディスプレイは、マトリクス状に配置されたデータ電極と走査電極の各交差部に形成された複数の有機ＥＬ素子により画像を表示する。
【０００３】
上述した有機ＥＬ表示装置の駆動方法として採用されている従来のパッシブマトリクス駆動方式（単純マトリクス駆動方式）では、１フレーム期間を走査線数（走査電極数）Ｎで分割し、そのＮ分割された期間毎に１つの走査線（走査電極）を順次駆動する、いわゆる線順次駆動している。具体的には、表示する走査線の電位を順次０Ｖにすることで選択し、それ以外の（Ｎ−１）本の非選択走査線には、発光しないように発光素子である有機ＥＬ素子の端子間電圧が発光閾値電圧以下となるような逆バイアス電圧を印加している。また、階調制御は、データ線（データ電極）に印加する電流の印加時間、つまりデータ線に印加するパルス幅で階調制御を行うパルス幅法が使用されている。
【０００４】
ここで、有機ＥＬ表示装置において、発光素子である有機ＥＬ素子は容量成分を有する。このため、上述したパッシブマトリクス駆動方式では、有機ＥＬ素子の容量成分がコンデンサとして作用し、電圧印加に対して発光の立ち上がりが遅れてしまうという問題があった。
【０００５】
この問題を解決するために、有機ＥＬ素子における発光の立ち上がり特性を改善する駆動方法が提案されている（例えば、特許文献１、２参照。）。
特許文献１には、定電圧駆動と定電流駆動とを併用した駆動方法が開示されており、図８（ａ）に示すように、始めに定電圧駆動して有機ＥＬ素子の充電を行い、その後定電流駆動に切り替える。しかしながら、この駆動方法では、走査線が選択されている期間（以下、「選択期間」とも称す。）ＴＳＥＬ内に、有機ＥＬ素子に対して定電圧を印加して充電するための充電時間（期間Ｔｃｈ）を必要とする。したがって、有機ＥＬ素子が実際に発光に寄与している時間（期間ＴＥｍａｘ）は、選択期間ＴＳＥＬより短くなり、選択期間のすべてを発光に費やした場合に比べて低輝度になる。
【０００６】
また、特許文献２には、図８（ｂ）に示すように、次の走査線を走査する前にオフセット電圧を印加して有機ＥＬ素子の充電を行う駆動方法が開示されている。この駆動方法でも有機ＥＬ素子の充電を行う充電時間（期間Ｔｃｈ）が選択期間ＴＳＥＬ内に設けられるので、有機ＥＬ素子が発光に寄与している時間（期間ＴＥｍａｘ）は選択期間ＴＳＥＬに対して短くなり、選択期間のすべてを発光に費やした場合に比べて低輝度になる。
【０００７】
ここで、各走査線の実質的な選択期間は、走査線の総数が増加するほど短くなり、上記特許文献１、２に開示された駆動方法のように有機ＥＬ素子を充電する充電時間を選択期間内に設けると、発光時間に対する充電時間の割合が相対的に大きくなり顕著な問題となる。
【０００８】
この問題を解決する１つの方法として、図９（ａ）に示すように各電極を駆動することにより、次に選択される走査電極に接続された有機ＥＬ素子の充電を予め行う駆動方法が提案されている（例えば、特許文献３参照。）。特許文献３に開示されている駆動方法では、ある走査電極の選択期間ＴＳＥＬ１、ＴＳＥＬ２に、選択時にデータ電極より印加される電圧Ｖ１及び非選択状態の走査電極に印加される逆バイアス電圧Ｖ１よりも低い電圧Ｖ２を、次に選択される走査電極に対して印加する。これにより、選択期間のすべてを発光に寄与できるようにしながらも、次に選択される走査電極に接続された有機ＥＬ素子を０Ｖより大きい電圧差（Ｖ２−Ｖ１）で予め充電することができる（期間Ｔｃｈ１、Ｔｃｈ２参照。）。
【０００９】
【特許文献１】特開平１１−２３１８３４号公報
【特許文献２】特開平１１−１４３４２９号公報
【特許文献３】特開２００１−１２５５３８号公報
【発明の開示】
【発明が解決しようとする課題】
【００１０】
しかしながら、上記特許文献３に開示された駆動方法においては、データ電極に印加するパルス幅で階調制御を行う場合、パルス幅が最大、つまり最大階調のとき以外には、図９（ｂ）に示すように選択されているデータ電極の電圧が選択期間中にグランドレベル（０Ｖ）になってしまう（期間ＴＳＥＬ１内の期間Ｔｇ）。したがって、次に選択される走査電極に接続された有機ＥＬ素子に印加される電圧差は反転して０＜Ｖ２となり、充電した電荷が放電されてしまい、充電による発光立ち上がりは改善されない。特許文献３には、全データ電極選択期間を設けて予備充電する駆動方法も開示されているが、この全データ電極選択期間を設けることで実際の発光時間が短縮され輝度が低下してしまう。
【００１１】
本発明は、このような問題に鑑みて成されたものであり、階調制御のためのパルス幅にかかわらず、表示装置にて出力可能な最大輝度を低下させることなく、発光素子の発光立ち上がりを改善することができるようにする。
【課題を解決するための手段】
【００１２】
本発明の表示装置は、複数のデータ電極及び走査電極と、上記データ電極と上記走査電極との各交差部に形成され両電極に接続された発光素子とを有する表示手段と、第１の電位を選択された上記走査電極に供給するとともに、選択されていない上記走査電極に印加する第２の電位よりも低くかつ上記第１の電位よりも高い第３の電位を次に選択される上記走査電極に供給する走査電極駆動手段と、上記データ電極に、上記第１の電位との電位差が上記発光閾値電圧よりも大きく、かつ上記第２の電位との電位差が正かつ上記発光閾値電位より小さく、かつ上記第３電位との電位差が上記発光閾値電圧未満である第４の電位を有するデータ電極駆動信号を供給するデータ電極駆動手段とを備え、階調を少なくとも上記データ電極駆動信号のパルス幅により制御するとともに、上記次に選択される上記走査電極が選択されるまで上記データ電極駆動信号を上記データ電極に供給し、かつ上記データ電極駆動信号を上記データ電極に供給するまでは上記発光素子の発光閾値電圧より基準電位に対する電位差が小さい第５の電位を上記データ電極に供給することを特徴とする。
上記構成によれば、次に選択される走査電極に接続された発光素子を、次に選択される走査電極の電位とデータ電極駆動信号との電位差により選択前に予め充電することができるとともに、当該走査電極が選択されるまで上記データ電極駆動信号を供給することで発光素子を充電している状態で当該走査電極を選択することができる。
【発明の効果】
【００１３】
本発明によれば、次に選択される走査電極が選択されるまでデータ電極駆動信号を供給することで、選択された走査電極を駆動しているときに、次に選択される走査電極に接続された発光素子を予め充電することができるとともに、発光素子を充電している状態で次の走査電極を選択することができる。したがって、走査電極が選択されている期間のすべてを発光に寄与させることができ、表示装置にて出力可能な最大輝度を低下させることなく発光素子を充電することができるとともに、階調を制御可能なデータ電極駆動信号のパルス幅にかかわらずその充電状態を維持することができ、発光素子の発光立ち上がりを改善することができる。
【発明を実施するための最良の形態】
【００１４】
以下、本発明の実施形態を図面に基づいて説明する。
図１は、本発明の一実施形態による表示装置の構成例を示す図である。本実施形態においては、発光素子として有機ＥＬ素子を用い、パッシブマトリクス駆動方式で、かつパルス幅により階調制御を行う有機ＥＬ表示装置を一例として説明する。
【００１５】
本実施形態における有機ＥＬ表示装置は、有機ＥＬディスプレイ１と、有機ＥＬディスプレイ１を駆動するためのデータ電極駆動回路２及び走査電極駆動回路３と、データ電極駆動回路２及び走査電極駆動回路３を制御する制御回路４とを有する。
【００１６】
有機ＥＬディスプレイ１は、互いに平行となるように配置されたデータ線としてのデータ電極（陽極）Ｘ１〜Ｘｍと、データ電極Ｘ１〜Ｘｍと直交する方向に互いに平行となるように配置された走査線としての走査電極（陰極）Ｙ１〜Ｙｎとを有する。また、有機ＥＬディスプレイ１は、各データ電極Ｘｉと各走査電極Ｙｊの交差部に形成され、両電極に接続された発光素子としての複数の有機ＥＬ素子Ｅｉｊを有する。なお、ｉ，ｊは添え字であり、ｉ＝１〜ｍ、ｊ＝１〜ｎである。すなわち、有機ＥＬディスプレイ１は、データ電極Ｘ１〜Ｘｍと走査電極Ｙ１〜Ｙｎの各交差部に有機ＥＬ素子Ｅｉｊが形成されており、このｍ行ｎ列の２次元マトリクス状に配置された複数の有機ＥＬ素子Ｅｉｊにより２次元画像を表示する。
【００１７】
なお、図１において、有機ＥＬ素子Ｅｉｊは、アノードがデータ電極Ｘｉに接続されカソードが走査電極Ｙｊに接続されたダイオードＤｉｊと、これに並列に接続されたコンデンサＣｉｊにより模式的に示している。発光させる有機ＥＬ素子Ｅｉｊには、データ電極駆動回路２及び走査電極駆動回路３により順方向に発光閾値電圧以上の電圧が印加されて電流が流され、有機ＥＬ素子Ｅｉｊは、例えば電流量に応じた輝度で発光する。
【００１８】
データ電極駆動回路２は、データ電極Ｘ１〜Ｘｍに駆動信号を出力してデータ電極Ｘ１〜Ｘｍを駆動するための駆動回路であり、各データ電極Ｘ１〜Ｘｍ毎に設けられたスイッチＳＷＸ１〜ＳＷＸｍを備える。各スイッチＳＷＸ１〜ＳＷＸｍは４つの端子を有し、第１の端子（可動接点）は各データ電極Ｘ１〜Ｘｍに接続され、第２〜第４の固定端子（固定接点）はそれぞれ電流源１１、充電維持電圧Ｖｄ１を供給する電圧源１２、基準電位（グランドレベル）に対して接続されている。なお、図示していないが電流源１１には駆動電圧Ｖｄが供給されており、電流源１１はデータ電極Ｘ１〜Ｘｍに対して電圧が駆動電圧Ｖｄとなる定電流を供給する。また、充電維持電圧Ｖｄ１は、基準電位より高くかつ基準電位との電位差が有機ＥＬ素子の発光閾値電圧以下となる電圧である。
【００１９】
走査電極駆動回路３は、駆動信号を出力して走査電極Ｙ１〜Ｙｎを順次走査する（線順次走査する）ための駆動回路であり、各走査電極Ｙ１〜Ｙｎ毎に設けられたスイッチＳＷＹ１〜ＳＷＹｎを備える。各スイッチＳＷＹ１〜ＳＷＹｎは４つの端子を有し、第１の端子（可動接点）は各走査電極Ｙ１〜Ｙｎに接続され、第２〜第４の固定端子（固定接点）はそれぞれ逆バイアス電圧Ｖｓを供給する電圧源２１、充電用の駆動電圧Ｖｓ１を供給する電圧源２２、基準電位（グランドレベル）に対して接続されている。
【００２０】
制御回路４は、データ入力端子５に接続されており、データ入力端子５を介して入力される表示データに基づいてデータ電極駆動回路２及び走査電極駆動回路３を制御する。
【００２１】
次に、図１に示した有機ＥＬ表示装置の駆動方法及び動作の概略について説明する。
図２は、本実施形態における有機ＥＬ表示装置の駆動波形の一例を示すタイミングチャートである。なお、図２において、データ電極に印加する駆動信号は、説明の便宜上、走査電極Ｙ１が選択されている期間（選択期間）ＴＳ１のみ図示しているが、表示するデータに応じた駆動信号が、各走査電極Ｙ１〜Ｙｎの選択期間にデータ電極に対して印加されている。
【００２２】
図２に示すように、走査電極Ｙ１〜Ｙｎは、一定の時間間隔で順次グランドレベルの駆動信号を供給することにより選択され、線順次駆動される。また、走査電極Ｙ１〜Ｙｎは、次に選択される走査電極である場合には、つまり１つ前の走査電極の選択期間中には、駆動電圧Ｖｓ１の駆動信号が供給される。したがって、走査電極Ｙ１〜Ｙｎは、自らの選択期間の１つ前の選択期間に電圧Ｖｓ１となり、自らの選択期間に電圧がグランドレベルとなる。その他の期間においては、走査電極Ｙ１〜Ｙｎの電位はＶｓである。なお、走査電極Ｙ１の選択期間の開始から走査電極Ｙｎの選択期間の終了までの期間が、１フレーム分の期間ＴＦに対応する。
【００２３】
データ電極Ｘ１〜Ｘｍには、上述したように各走査電極Ｙ１〜Ｙｎの選択期間において、表示するデータに応じた駆動信号が印加される。具体的には、発光素子である有機ＥＬ素子Ｅｉｊを発光させる場合には、データ電極Ｘ１〜Ｘｍに対して駆動電圧Ｖｄの駆動信号が供給され、発光させない場合には駆動電圧Ｖｄ１の駆動信号が供給される。
【００２４】
ここで、本実施形態における有機ＥＬ表示装置では、このデータ電極Ｘ１〜Ｘｍに対して駆動電圧Ｖｄの駆動信号を印加する時間、すなわちデータ電極Ｘ１〜Ｘｍに対する駆動電圧Ｖｄの駆動信号のパルス幅により表示画像に係る階調制御を行う。例えば、高い輝度で発光させる場合には、駆動電圧Ｖｄの駆動信号のパルス幅を長くし、低い輝度で発光させる場合にはパルス幅を短くする。さらに、データ電極Ｘ１〜Ｘｍに印加する駆動電圧Ｖｄの駆動信号は、次の走査電極の選択期間まで印加する、言い換えれば現在の選択期間の終了時と駆動電圧Ｖｄの駆動信号との時間的な終端（終期）を一致させるように印加する。したがって、データ電極Ｘ１〜Ｘｍには、階調に応じて、駆動電圧Ｖｄ１の駆動信号が供給され、その後選択期間の終了時まで駆動電圧Ｖｄの駆動信号が供給される。
【００２５】
次に、具体例として、図３に示すような駆動波形で駆動させるときの有機ＥＬ表示装置の駆動方法及び動作について説明する。
図３は、本実施形態における有機ＥＬ表示装置の駆動方法及び動作を具体的に説明するための駆動波形の一例を示す図であり、選択期間ＴＳＥＬ１にて走査電極Ｙ１を走査して有機ＥＬ素子Ｅ１１〜Ｅｍ１を発光させた後、次の選択期間ＴＳＥＬ２にて走査電極Ｙ２を走査して有機ＥＬ素子Ｅ１２〜Ｅｍ２を発光させる場合の駆動波形を示している。
【００２６】
図３に示す選択期間ＴＳＥＬ１において、走査電極駆動回路３内のスイッチＳＷＹ１は、走査電極Ｙ１に接続されている第１の端子とグランドレベルに対して接続されている第４の端子とが接続され、走査電極Ｙ１の電位がグランドレベルとなり選択されている。また、この選択期間ＴＳＥＬ１において、スイッチＳＷＹ２は、走査電極Ｙ２に接続されている第１の端子と充電用の駆動電圧Ｖｓ１の電圧源２２に対して接続されている第３の端子とが接続され、走査電極Ｙ２には充電用の駆動電圧Ｖｓ１が印加されている。このとき、走査電極Ｙ１、Ｙ２を除く他の走査電極Ｙ３〜Ｙｎには電圧源２１から供給される逆バイアス電圧Ｖｓが印加されている。
【００２７】
選択期間ＴＳＥＬ１における時刻ｔ１において、データ電極駆動回路２内の各スイッチＳＷＸ１〜ＳＷＸｍは、データ電極Ｘ１〜Ｘｍに接続されている第１の端子と電流源１１に対して接続されている第２の端子とが接続されたとする。したがって、データ電極Ｘ１〜Ｘｍの電圧はＶｄである。
【００２８】
ここで、走査電極Ｙ２に印加されている充電用の駆動電圧Ｖｓ１は、０＜Ｖｄ−Ｖｓ１＜ＶｏｅｌかつＶｓ１＜Ｖｓの関係を満足するように設定されている。つまり、走査電極に印加される逆バイアス電圧Ｖｓよりも低く、駆動電圧Ｖｄと駆動電圧Ｖｓ１との電位差が有機ＥＬ素子の発光閾値電圧Ｖｏｅｌ未満となるように設定されている。
【００２９】
したがって、図４に示すように走査電極Ｙ２とデータ電極Ｘ１〜Ｘｍとの間の電位差により、次に選択される走査電極Ｙ２に接続された有機ＥＬ素子Ｅ１２〜Ｅｍ２の寄生容量（コンデンサＣ１２〜Ｃｍ２）が充電される。また、上述したように、走査電極Ｙ２とデータ電極Ｘ１〜Ｘｍとの間の電位差は、有機ＥＬ素子の発光閾値電圧Ｖｏｅｌ未満であるので、有機ＥＬ素子Ｅ１２〜Ｅｍ２は発光（誤発光）することがない。
【００３０】
上述した時刻ｔ１における状態が次の選択期間ＴＳＥＬ２の開始時まで維持される。したがって、上記特許文献３に開示された駆動方法とは異なり、本実施形態では、次の選択期間ＴＳＥＬ２が開始されるまでに、有機ＥＬ素子Ｅ１２〜Ｅｍ２の寄生容量に充電された電荷が放電されることなく、選択期間ＴＳＥＬ２に移行することができる。
【００３１】
そして、選択期間ＴＳＥＬ１が終了し選択期間ＴＳＥＬ２になると、走査電極駆動回路３内のスイッチＳＷＹ２は、第１の端子と第４の端子とが接続され、走査電極Ｙ２の電位がグランドレベルとなり選択される。また、走査電極Ｙ３に対応するスイッチＳＷＹ３は、第１の端子と第３の端子とが接続され、走査電極Ｙ３に充電用の駆動電圧Ｖｓ１が印加される。なお、選択期間ＴＳＥＬ２において、他の走査電極Ｙ１、Ｙ４〜Ｙｎには逆バイアス電圧Ｖｓが印加される。
【００３２】
ここで、選択期間ＴＳＥＬ２において有機ＥＬ素子Ｅ１２のみを最大階調で発光させる、つまり、データ電極Ｘ１に対して駆動電圧Ｖｄを印加する駆動信号のパルス幅を最大にして、選択期間ＴＳＥＬ２のすべての期間でデータ電極Ｘ１に駆動電圧Ｖｄを印加するとする。
【００３３】
この場合には、選択期間ＴＳＥＬ２の開始時刻である時刻ｔ２において、データ電極駆動回路２内のスイッチＳＷＸ１は、第１の端子と第２の端子とが接続され、データ電極Ｘ１には駆動電圧Ｖｄが印加される。また、表示するデータにより駆動電圧Ｖｄの駆動信号のパルス幅が最大値より短いデータ電極Ｘ２〜Ｘｍに対応するスイッチＳＷＸ２〜ＳＷＸｍは、第１の端子と充電維持電圧Ｖｄ１を供給する電圧源１２に対して接続されている第３の端子とが接続され、データ電極Ｘ２〜Ｘｍには充電維持電圧Ｖｄ１が印加される。
【００３４】
したがって図５に示すように、有機ＥＬ素子Ｅ１２の寄生容量Ｃ１２は既に充電されているので、有機ＥＬ素子Ｅ１２の発光の立ち上がりは遅延することがなく、速やかに発光が開始され選択期間ＴＳＥＬ２のすべての期間において発光することができる。また、有機ＥＬ素子Ｅ２２〜Ｅｍ２は、時刻ｔ２から駆動信号Ｖｄの駆動信号が入力される時刻ｔ３までは、上述したように０＜Ｖｄ１＜Ｖｏｅｌの関係を満たす充電維持電圧Ｖｄ１が印加されるので、充電されている電荷が放電されずに維持されるとともに、発光することもない。なお、この時刻ｔ２〜時刻ｔ３の間の期間においては、データ電極Ｘ１と走査電極Ｙ３との電位差により、有機ＥＬ素子Ｅ１３の寄生容量Ｃ１３が充電されている。
【００３５】
次に、時刻ｔ３において、有機ＥＬ素子Ｅ２２〜Ｅｍ２を発光させるように指示されると、データ電極駆動回路２内のスイッチＳＷＸ２〜ＳＷＸｍは、第１の端子と第２の端子とが接続され、データ電極Ｘ２〜Ｘｍには駆動電圧Ｖｄが印加される。これにより、有機ＥＬ素子Ｅ２２〜Ｅｍ２が発光する。この有機ＥＬ素子Ｅ２２〜Ｅｍ２を発光させる場合も、上述したように有機ＥＬ素子Ｅ２２〜Ｅｍ２の寄生容量は既に充電されており、かつその電荷が維持されているので、有機ＥＬ素子Ｅ２２〜Ｅｍ２の発光の立ち上がりは遅延することがなく、速やかに発光が開始される。
【００３６】
また、図６に示すように走査電極Ｙ３とデータ電極Ｘ１〜Ｘｍとの間の電位差により、次に選択される走査電極Ｙ３に接続された有機ＥＬ素子Ｅ１３〜Ｅｍ３が発光することなく、その寄生容量が充電される。さらに、この時刻ｔ３における状態を次の選択期間ＴＳＥＬ３の開始時まで維持するので、次の選択期間ＴＳＥＬ３が開始されるまでに有機ＥＬ素子Ｅ１３〜Ｅｍ３の寄生容量に充電された電荷が放電されることもない。
【００３７】
以上、説明したように本実施形態によれば、ある走査電極Ｙ１〜Ｙｎの選択期間にて、次に選択される走査電極Ｙ１〜Ｙｎの選択期間が始まるまで（次の走査電極Ｙ１〜Ｙｎが選択されるまで）、データ電極Ｘ１〜Ｘｍに対して駆動電圧Ｖｄの駆動信号を供給する。これにより、次に選択される走査電極Ｙ１〜Ｙｎの電圧Ｖｓ１とデータ電極Ｘ１〜Ｘｍの電圧Ｖｄとの電位差により、次に選択される走査電極Ｙ１〜Ｙｎに接続された有機ＥＬ素子の寄生容量を予め充電することができるとともに、有機ＥＬ素子の寄生容量に充電された電荷を放電せずに充電した状態で次の選択期間に移ることができる。したがって、選択期間内での充電に使用する期間がなく、選択期間のすべてを発光に寄与させることができ、表示可能な最大輝度を低下させることなく有機ＥＬ素子の寄生容量を充電することができるとともに、図７に示すように有機ＥＬ素子の発光立ち上がりを改善することができる。
【００３８】
図７（ａ）は、本実施形態における有機ＥＬ素子の発光立ち上がりを示す図であり、比較参照するために図７（ｂ）に従来の有機ＥＬ表示装置における有機ＥＬ素子の発光立ち上がりを図示している。図７（ａ），（ｂ）は、データ電極側３２０ライン×ＲＧＢ、走査電極側２４０ラインの有機ＥＬディスプレイにてフレーム周波数６０ＭＨｚ、１ラインあたりの選択時間を５０μｓに設定し、定電流駆動（５０μＡ／画素）したときの有機ＥＬ素子の発光立ち上がり波形を示している。図７（ａ）、（ｂ）を比較すれば明らかなように、本実施形態では、従来と比較して、有機ＥＬ素子の発光立ち上がりは非常に急峻であることがわかる。なお、本実施形態における有機ＥＬ素子の発光立ち上がり時間は３μｓであり、従来技術による有機ＥＬ素子の発光立ち上がり時間は約３０μｓである。
【００３９】
また、例えば、１ラインあたりの選択時間を５０μｓに設定し、定電流駆動（５０μＡ／画素）した際、従来技術では最大輝度が９２ｃｄ／ｍ2であったものが、本実施形態によれば１２０ｃｄ／ｍ2の最大輝度を得ることができた。
【００４０】
なお、本実施形態は、解像度が増大して走査電極数（ライン数）が増加する等、1ラインあたりの選択期間が短くなる場合に、非常に有効であり、発光素子の輝度を低下させずに発光立ち上がりを改善することができる。
【００４１】
なお、上記実施形態は、何れも本発明を実施するにあたっての具体化のほんの一例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００４２】
【図１】本発明の一実施形態における有機ＥＬ表示装置の構成例を示す図である。
【図２】本実施形態における有機ＥＬ表示装置の駆動波形の一例を示すタイミングチャートである。
【図３】本実施形態における有機ＥＬ表示装置の具体的な駆動波形の一例を示す図である。
【図４】図３に示した時刻ｔ１〜時刻ｔ２の期間における有機ＥＬ表示装置の動作を説明するための図である。
【図５】図３に示した時刻ｔ２〜時刻ｔ３の期間における有機ＥＬ表示装置の動作を説明するための図である。
【図６】図３に示した時刻ｔ３以降の期間における有機ＥＬ表示装置の動作を説明するための図である。
【図７】本実施形態における有機ＥＬ表示装置における有機ＥＬ素子の発光立ち上がりを示す図である。
【図８】従来の有機ＥＬ表示装置の駆動波形を示す図である。
【図９】従来の有機ＥＬ表示装置の他の駆動波形を示す図である。
【符号の説明】
【００４３】
１  有機ＥＬディスプレイ
２  データ電極駆動回路
３  走査電極駆動回路
４  制御回路
１１  電流源
１２  充電維持電圧源
２１  駆動用電圧源
２２  充電用電圧源
Ｘ１〜Ｘｍ  データ電極
Ｙ１〜Ｙｎ  走査電極
Ｅ１１〜Ｅｍｎ  有機ＥＬ素子
【図１】
0004808386.tif 000002
【図２】
0004808386.tif 000003
【図３】
0004808386.tif 000004
【図４】
0004808386.tif 000005
【図５】
0004808386.tif 000006
【図６】
0004808386.tif 000007
【図７】
0004808386.tif 000008
【図８】
0004808386.tif 000009
【図９】
0004808386.tif 000010